(57)【要約】【課題】  放電現象により、従来より効率的簡単に空気に陰イオンを帯電さすことの出来る装置の構造とすること。【解決手段】  陰極を星形とし金属材をプレス加工にて多尖頭でも簡易に製作出来るようにし、陽極は円筒管とし陰極と陽極間を任意の距離を保って組立てた構造とした。【選択図】  図２
2005085745.tif 000002
【特許請求の範囲】
【請求項１】
空気中の水分等を放電現象により陰イオン化する装置において陰電極を星形とし、陽電極を円筒形とし、前記星形陰電極の中心点と円筒形陽電極の中心線とを同一軸上でかつ両電極間を任意の距離保って設けたことを特徴とする陰イオン発生器。
【請求項２】
星形陰電極板は平板、もしくはイオン化空気の流れの方向に陰極尖頭部を向けた曲面状としかつ星形陰電極の円筒形陽電極への投影直径が円筒状陽電極の略内直径以内としたことを特徴とする特許請求項（１）の陰イオン発生器
【発明の詳細な説明】
【技術分野】
【０００１】  本発明は電気的放電により空気中に陰イオンを効率的に発生させる陰イオン発生装置に関する。
【背景技術】
【０００２】  従来の技術の例を図４及び５に示す。
従来の陰イオン発生器は陰電極が平行板型で陽電極が空気中の集麈を兼ねた広い表面積を有する櫛型状物を空気の流れ方向に平行に凹部と凸部交互に配置したものであったり、もしくは陰電極を針状にし陽電極をラッパ管状にする等の構造の装置であった。
【特許文献】  特開平１１−３００１５１
【特許文献】  特開２００１−１７９１３０
【発明が解決しようとする課題】
【０００３】  これらの従来の装置は例えば前者の場合、陰電極が空気の流れ方向に平行板とし、陽電極は前述のように櫛型状で集塵を兼ねた機能のため大型用向きの装置であり、後者の場合は陰電極は針状としているため大型化する場合は、陰電極の針は針単位で増加さす必要がありまた、陽電極はラッパ管状の電極としているが、ラッパ管電極は円錐状部と円筒部とを一体とした製作上複雑な形状でありそのため装置のスケールアップ時には対応がさらに複雑となるため単純な装置構造にしたいとの課題があった。いずれにしろ空気に陰イオンを荷電させることに機能を絞ったよりシンプルでコンパクト、安価に製造できる陰イオン発生器が求められていた。
【課題を解決するための手段】
【０００４】  本発明は上記課題を解決するために行われたものである。そのため、本発明は基本的に装置の簡易化を図るために放電現象を生じさす陰電極に金属板を使用し、複数の尖頭部を有する（プレス板加工の）星形とし、陽電極は円筒状金属製とし陰電極の星形の中心と陽電極の円筒の中心線は一直線上に任意の距離を保って配置し、かつ両電極を電気的回路としたことにある。そして陰電極の形状は星形の平板、もしくは陽電極へ向けて開いていく曲面状とし、かつ陰電極の円筒形陽電極への投影された全先端部は陽電極の略円筒内直径内に納まるようにした。
【本発明の効果】
【０００５】  空気中の水分等に放電現象により陰イオンを荷電する装置において本発明の構成は上記課題を解決するために陰電極を星形の金属板の打ち抜き形状の平板もしくは星形の中心点を頂点とする曲面状に形成し、星形陰電極と回路を形成する陽電極は円筒型としかつ、星形陰電極を陽電極の断面に平面投影したとき前記陰電極は前記陽電極の略円筒内直径内に納まる大きさとし、更に星形電極の中心点と円筒型陽電極の円筒の中心線が一直線上に任意の距離を保って配置したことにある。まず、星形の陰電極を金属板のプレス打ち抜きとしたことにより製作が非常に簡単になったこと。また、陰電極を複数設ける場合でも従来のように複数針の電極の取付及び配線を必要とせず星形の尖頭部の数の形状であるためプレス打ち抜き工程・工数には全然影響せずに簡単に製作できかつ配線工程は星形の中心等に陰極用導線１本を従来通り配線するだけで済むようになった。陽電極は従来のように凸部、凹部組み合わせ方式とかラッパ部付円筒管のような複雑な形状とせずとも本発明の円筒形状の簡単な構造でも陰イオン発生量は遜色ないことが判明したため装置も簡単化と安価製作化出来るようになった。尚、同一電圧・電力で従来型装置（陰電極が針状、陽電極がラッパ管状の陰イオン発生器）と本発明装置による陰イオン発生量の調べた結果を図３に示す。
【発明を実施するための最良の形態】
【０００６】  次に本発明の一実施の形態の装置の側面図を図２に示す。
陰イオン発生器（１）は星形陰電極（１０）、円筒陽電極（８）及び電力電圧制御装置（５）を１つのケーシング（１２）に納め、このケーシング（１２）内の星形陰電極側にイオン化しようとする空気の空気口（１１）が設けられ、陰イオン化された空気の出口は空気出口（４）より放出されるようになっている。そして空気口（１１）、星形陰電極（１０）、円筒陽電極（８）の各中心は空気の流れ方向（図２においては左から右）に沿って一直線上に配置されている。そして電源コード（１３）、星形陰電極（１０）、電力電圧制御装置（５）、コード（６）、円筒陽電極（８）で本陰イオン発生器の回路を構成している。次に空気に陰イオンを荷電しようとするときの操作方法を述べる。電力電圧制御装置（５）の電源をＯＮ（入力）にし電力（電圧電流を所定値に調整する）を印加すると星形陰電極（１０）から陰イオンが尖頭部（７）より円筒陽電極（８）に向かって放出される。この時星形陰電極（１０）より円筒陽電極（８）に向かってイオン風が（例えば２ｍ／ｓｅｃ）発生し、このイオン風によって空気口（１１）よりイオン化対象空気（３）が吸い込まれると同時に円筒陽電極（８）の後端、すなわち空気出口（４）より陰イオン化された空気が放出される。このようにして電力電圧制御装置（５）の電源入力（ＯＮ）によって対象空気の陰イオン化、吸引、送り出しが連続的に行われるのである。尚、同一放電装置を使用し同一負荷電力で針の形状、放電部の針もしくは星形の尖頭数によってどのように陰イオン数の放出量が変わるかの実験を行ったところ、本発明の星形電極が従来方式より秀れかつ８本針が最も陰イオンを放電することが判明した。（図３参照）
【図面の簡単な説明】
【０００７】
【図１】  陰イオン発生器の模式図  （イ）陰イオン発生器の回路図  （ロ）ａ−ａ断面図
【図２】  陰イオン発生器の縦断面模式図
【図３】  本発明装置と従来装置とによるマイナスイオン測定結果
【図４】  従来型のくし歯状型イオン発生装置  （イ）装置全体外観図  （ロ）陽電極断面図（ａ−ａ断面）
【図５】  従来型の針状型イオン発生装置
【０００８】  １．  陰イオン発生器
２．  遮断材
３．  空気
４．  空気出口
５．  電力電圧制御装置
６．  コード
７．  尖頭部
８．  円筒陽電極
９．  電極金具
１０．  星形陰電極
１１．  空気口
１２．  ケーシング
１３．  電源コード
１４．  板型陰電極
１５．  櫛型陽電極
１６．  針型陰電極
１７．  ラッパ型陽電極
2005085745.tif 000003
【手続補正書】
【提出日】平成15年11月14日(2003.11.14)
【手続補正１】
【補正対象書類名】図面
【補正対象項目名】全図
【補正方法】追加
【補正の内容】
【図１】
2005085745.tif 000004
【図２】
2005085745.tif 000005
【図３】
2005085745.tif 000006
【図４】
2005085745.tif 000007
【図５】
2005085745.tif 000008